(57)【要約】【課題】ノートパソコンへの係着性、操作性を良好にすることができる盗難防止装置を得る。【解決手段】ノートパソコン１には外側面３に奥拡がりな係着孔５を備えており、基端にループ２９を有するケーブル２１と、ノートパソコン１に設けた係着孔５に開脚ピン３５を挿入して摘み部４５を挿入方向にスライドすることで係着孔５へ係着可能である一方、摘み部４５を挿入方向と反対方向にスライドすることで係着孔５から係着解除可能であり、且つ係着時に露出するとともに係着解除時にはカバー４７内に没入する挿通穴３７ａを有した係着具２３と、この係着具２３のケーブル挿通部３７に挿通されたケーブル２１の先端３１に係止・係止解除可能であり、ケーブル２１の先端３１に係止することで挿通穴３７ａからのケーブル２１の抜けを阻止する錠ユニット２５とを設けた。【選択図】      図１
2004318426.tif 000002
【特許請求の範囲】
【請求項１】
外側面に奥拡がりな孔よりなる係着孔を備えた可搬型電子機器用盗難防止装置であって、
前記可搬型電子機器の係着孔に開脚ピンを挿入して摘み部を該挿入方向にスライドすることで前記係着孔内にて拡げて該係着孔へ係着可能である一方、前記摘み部を前記挿入方向と反対方向にスライドすることで前記係着孔から係着解除可能であり、且つ係着時に露出するとともに係着解除時には前記摘み部と一体なカバー内に没入する挿通穴を有した係着具と、
基端にループを有するケーブルを備えるとともに、前記係着具の前記挿通穴に挿通されて該挿通穴のカバー内への没入を阻止する規制体を備えた錠ユニットと、
を具備することを特徴とする可搬型電子機器用盗難防止装置。
【請求項２】
外側面に奥拡がりな孔よりなる係着孔を備えた可搬型電子機器用盗難防止装置であって、
基端にループを有するケーブルと、
前記可搬型電子機器の係着孔に開脚ピンを挿入して摘み部を該挿入方向にスライドすることで前記係着孔内にて拡げて該係着孔へ係着可能である一方、前記摘み部を前記挿入方向と反対方向にスライドすることで前記係着孔から係着解除可能であり、且つ係着時に露出するとともに係着解除時には前記摘み部と一体なカバー内に没入する挿通穴を有した係着具と、
該係着具の前記挿通穴に挿通された前記ケーブルの先端に係止・係止解除可能であり、該ケーブルの先端に係止することで前記挿通穴からの前記ケーブルの抜けを阻止する錠ユニットと、
を具備することを特徴とする可搬型電子機器用盗難防止装置。
【請求項３】
請求項２記載の可搬型電子機器用盗難防止装置において、
前記錠ユニットが、
錠本体と、
該錠本体に設けられ合鍵の挿入のみによって回転可能となるシリンダーと、
前記錠本体に形成され前記ケーブルが挿通可能となった貫通穴と、
前記錠本体に形成され前記ケーブルの先端が挿入可能となったケーブル挿入穴と、
前記錠本体に内設され該ケーブル挿入穴に挿入された前記ケーブルの先端に、前記シリンダーの回転によりスライドして係止・係止解除可能となる係止ピンと、
を具備することを特徴とする可搬型電子機器用盗難防止装置。
【請求項４】
外側面に奥拡がりな孔よりなる係着孔を備えた可搬型電子機器用盗難防止装置であって、
基端にループを有するケーブルと、
該ケーブルの先端が固定される錠ユニットとを具備し、
該錠ユニットが、
錠本体と、
該錠本体に設けられ合鍵の挿入のみによって回転可能となるシリンダーと、
該シリンダーの回転によってスライドするスライド部材と、
前記可搬型電子機器に設けた係着孔に挿入され該スライド部材のスライドによって拡がり、先端の係着爪を前記係着孔に係着する一対の開脚板とからなり、
且つ前記開脚板の前記係着孔への挿入方向が、前記シリンダーの合鍵挿入方向に対して直交方向であることを特徴とする可搬型電子機器用盗難防止装置。
【発明の詳細な説明】
【０００１】
【発明の属する技術分野】
本発明は、ノートパソコン等の携帯機器や、持ち運び可能な計測器などの電子機器を、ケーブルを介してテーブル脚等に繋ぐことで容易な持ち去りを防止する可搬型電子機器用盗難防止装置に関し、特に、ケーブルとノートパソコンとの係着性を良好にする改良技術に関する。
【０００２】
【従来の技術】
持ち運び性の良好なノートパソコン等の携帯型の機器は、種々な場所へ持ち運んでの使用が可能となる反面、一瞬のスキに持ち去られる等の盗難に遭う危険性も大きい。従来、例えばノートパソコンの盗難を防止する装置として、テーブル脚等の固定場所に、ケーブルを介してノートパソコンを繋ぎ、容易な持ち去りを防止できるようにしたノートパソコン用盗難防止装置が種々あり、例えば下記非特許文献２に示されるものがある。
【０００３】
図９（ａ）に示すように、この種のノートパソコン用盗難防止装置は、ノートパソコン１の側面３に予め設けられた奥拡がりな係着孔（「セキュリティスロット」とも称せられる）５に、係着具７の係着爪７ａを挿入する。係着具７は、先端に係着爪７ａの形成された一対の係着板９，９を支軸１１によって鋏状に重ねて構成され、鋏状に開いた状態で係着爪７ａを係着孔５に挿入した後、図９（ｂ）に示すように、係着板９，９を重ねるように閉じることで、図９（ｃ）に示すように、係着爪７ａ，７ａが係着孔５の裏側周縁に引っ掛かり係着される。
【０００４】
一対の係着板９，９の各係着爪７ａの反対側には、係着板９，９を重ね合わせた（閉じた）状態で一致する挿入穴７ｂ，７ｂが穿設されている。この挿入穴７ｂ，７ｂには、図９（ｄ）に示すように、南京錠１３の掛金部１３ａが挿通され、同時に、この掛金部１３ａには基端を図示しないテーブル脚等に巻きつけたケーブル１５のループ１５ａが掛けられる。これにより、係着具７は挿通された掛金部１３ａにより開脚不能となって係着孔５からの抜けが阻止されるとともに、ケーブル１５が接続され、ノートパソコンがケーブルを介してテーブル脚に繋がれた状態となって、盗難が防止された。
【０００５】
【非特許文献１】
アクセサリー、セキュリティ用品、ノートＰＣ用、ＳＬ−０６Ｋ、［ｏｎｌｉｎｅ］、サンワサプライ株式会社、［平成１５年４月１１日検索］、インターネット＜ＵＲＬ：ｈｔｔｐ：／／ｗｗｗ．ｓａｎｗａｓｕｐｐｌｙ．ｃｏ．ｊｐ／ｐｒｏｄｕｃｔ／＞
【０００６】
【発明が解決しようとする課題】
しかしながら、上記した従来のノートパソコン用の盗難防止装置は、一対の係着板９，９からなる係着具７を鋏状に開いて係着孔５に挿入し、この係着板９，９を閉じることで係着を行い、閉じた状態で一致する複数の挿入穴７ｂ，７ｂに南京錠１３の掛金部１３ａを通す等の多数の係着動作が必要となるとともに、径の小さな２つの挿入穴７ｂ，７ｂを正しく重ねなくては掛金部１３ａが貫通しないことから、操作性として煩雑であり、この挿入穴７ｂ，７ｂへの容易な係着を行うことができず、施錠を行う操作が非常に煩雑であった。また、この挿入穴７ｂ，７ｂの内径と掛金部１３ａの外径とに大きな差があれば、容易に各係着板９，９が開いてしまうおそれがあり、係着孔５から脱落してしまう不具合があった。
【０００７】
また、従来のノートパソコン用の盗難防止装置には、係着具自体にシリンダー錠を備えたものもあるが、係着孔はノートパソコンの側面に穿設されていることが多いため、係着孔への係着具の挿入方向と、シリンダーへの合鍵の挿入方向とが同方向であると、机上等に置いたノートパソコンの側面に係着具を挿入して施解錠する際、シリンダー錠の鍵穴が視認困難となり、これによっても係着性を低下させた。
【０００８】
本発明は上記状況に鑑みてなされたもので、ノートパソコンなどの携帯型情報端末機器やその他の持ち運びが比較的容易な可搬型電子機器の盗難防止装置であって、係着性、操作性を良好にすることができる可搬型電子機器用盗難防止装置を提供することにある。
【０００９】
【課題を解決するための手段】
次に、上記の課題を解決するための手段を、実施の形態に対応する図面を参照して説明する。
この発明の請求項１記載の可搬型電子機器用盗難防止装置は、外側面３に奥拡がりな孔よりなる係着孔５を備えた可搬型電子機器用盗難防止装置であって、
前記可搬型電子機器１の係着孔５に開脚ピン３５を挿入して摘み部４５を該挿入方向にスライドすることで前記係着孔５内にて拡げて該係着孔５へ係着可能である一方、前記摘み部４５を前記挿入方向と反対方向にスライドすることで前記係着孔５から係着解除可能であり、且つ係着時に露出するとともに係着解除時には前記摘み部４５と一体なカバー４７内に没入する挿通穴３７ａを有した係着具２３と、
基端にループ２９を有するケーブル２１を備えるとともに、前記係着具２３の前記挿通穴３７ａに挿通されて該挿通穴３７ａのカバー４７内への没入を阻止する規制体２５ａを備えた錠ユニット２５と、
を具備することを特徴とする。
【００１０】
この可搬型電子機器用盗難防止装置１００では、例えばノートパソコンなどの可搬型電子機器１の係着孔５に係着具２３が係着され、テーブル脚３３等にループ２９が巻きつけられるケーブル２１を介して錠ユニット２５が挿通穴３７ａに係止する。これにより、ノートパソコン１がケーブル２１を介してテーブル脚３３に繋がれた状態となって、盗難が防止される。そして、係着具２３は、開脚ピン３５を係着孔５に挿入し、摘み部４５を同方向にスライドするのみで係着が完了し、表出した挿通穴３７ａに規制体２５ａを挿通することで、係着の解除が規制される。この結果、従来装置のように、一対の係着板からなる係着具を鋏状に開いて係着孔に挿入し、この係着板を閉じることで係着を行い、閉じた状態で一致する複数の挿通穴に南京錠の掛金部を通す等の多数の係着動作が不要となり、少ない動作で係着孔への容易な係着が可能となる。
【００１１】
請求項２記載の可搬型電子機器用盗難防止装置１００は、外側面に奥拡がりな孔よりなる係着孔５を備えた可搬型電子機器用盗難防止装置であって、
基端にループ２９を有するケーブル２１と、
前記可搬型電子機器１の係着孔５に開脚ピン３５を挿入して摘み部４５を該挿入方向にスライドすることで前記係着孔５内にて拡げて該係着孔５へ係着可能である一方、前記摘み部４５を前記挿入方向と反対方向にスライドすることで前記係着孔５から係着解除可能であり、且つ係着時に露出するとともに係着解除時には前記摘み部４５と一体なカバー４７内に没入する挿通穴３７ａを有した係着具２３と、
該係着具２３の前記挿通穴３７ａに挿通された前記ケーブル２１の先端３１に係止・係止解除可能であり、該ケーブル２１の先端３１に係止することで前記挿通穴３７ａからの前記ケーブル２１の抜けを阻止する錠ユニット２５と、
を具備することを特徴とする。
【００１２】
この可搬型電子機器用盗難防止装置１００では、例えばノートパソコン等の可搬型電子機器１の係着孔５に係着具２３が係着され、テーブル脚３３等に巻きつけられるケーブル２１の先端３１がこの係着具２３に挿通され、ケーブル２１の先端３１に錠ユニット２５が係止することで、ケーブル２１が係着具２３から抜脱不能となる。これにより、ノートパソコン１がケーブル２１を介してテーブル脚３３に繋がれた状態となって、盗難が防止される。そして、係着具２３は、開脚ピン３５を係着孔５に挿入し、摘み部４５を同方向にスライドするのみで係着が完了し、表出した挿通穴３７ａにケーブル２１を挿通することで、係着の解除が規制される。この結果、従来装置のように、一対の係着板からなる係着具を鋏状に開いて係着孔に挿入し、この係着板を閉じることで係着を行い、閉じた状態で一致する複数の挿通穴に南京錠の掛金部を通す等の多数の係着動作が不要となり、少ない動作で係着孔への容易な係着が可能となる。また、係着具２３は、ノートパソコン１に付けたままでも摘み部４５をスライドしなければ脱落することがないので、ケーブル接続をより容易にすることも可能となる。
【００１３】
請求項３記載の可搬型電子機器用盗難防止装置は、請求項２記載の可搬型電子機器用盗難防止装置１００において、
前記錠ユニット２５が、
錠本体５１と、
該錠本体５１に設けられ合鍵５５の挿入のみによって回転可能となるシリンダー５３と、
前記錠本体５１に形成され前記ケーブル２１が挿通可能となった貫通穴５１ａと、
前記錠本体５１に形成され前記ケーブル２１の先端３１が挿入可能となったケーブル挿入穴５１ｂと、
前記錠本体５１に内設され該ケーブル挿入穴５１ｂに挿入された前記ケーブル２１の先端３１に、前記シリンダー５３の回転によりスライドして係止・係止解除可能となる係止ピン６１と、
を具備することを特徴とする。
【００１４】
この可搬型電子機器用盗難防止装置１００では、係着具２３に挿通されたケーブル２１の先端３１が、錠ユニット２５のケーブル挿入穴５１ｂに挿入されると、錠ユニット２５がケーブル２１の先端３１に係止して、係着具２３からのケーブル２１の抜けが阻止される。その結果、ケーブル２１が係着具２３のケーブル挿通部３７から抜けることによる係着解除が規制される。つまり、ケーブル２１の先端３１が錠ユニット２５から抜けないことで、ケーブル２１と可搬型電子機器、例えばノートパソコン１との接続状態が維持される。これにより、合鍵５５の操作のみにより、ケーブル２１の接続解除と、係着具２３の係着解除とが同時に可能となる。また、錠ユニット２５の貫通穴５１ａに一旦挿通されたケーブル２１が係着具２３を経由して再び錠ユニット２５に係止されるので、錠ユニット２５を移動させることで、ノートパソコン１とテーブル脚３３との間のケーブル長が自在に調整可能となる。
【００１５】
請求項４記載の可搬型電子機器用盗難防止装置２００は、外側面に奥拡がりな孔よりなる係着孔５を備えた可搬型電子機器用盗難防止装置であって、
基端にループを有するケーブル７３と、
該ケーブル７３の先端が固定される錠ユニット７１とを具備し、
該錠ユニット７１が、
錠本体８３と、
該錠本体８３に設けられ合鍵８７の挿入のみによって回転可能となるシリンダー８５と、
該シリンダー８５の回転によってスライドするスライド部材７９と、
前記可搬型電子機器１に設けた係着孔５に挿入され該スライド部材７９のスライドによって拡がり、先端の係着爪７５ａを前記係着孔５に係着する一対の開脚板７５とからなり、
且つ前記開脚板７５の前記係着孔５への挿入方向が、前記シリンダー８５の合鍵挿入方向に対して直交方向であることを特徴とする。
【００１６】
この可搬型電子機器用盗難防止装置２００では、テーブル脚３３等に巻きつけられるケーブル７３の先端が錠ユニット７１に固定されており、この錠ユニット７１の開脚板７５が可搬型電子機器（ノートパソコン等）１の係着孔５に挿入され、合鍵８７によりシリンダー８５が回転されることで、スライド部材７９のスライドを介して開脚板７５が係着孔５に係着される。これにより、ノートパソコン１がケーブル７３を介してテーブル脚３３に繋がれた状態となって、盗難が防止される。そして、開脚板７５の係着孔５への挿入方向が、シリンダー８５の合鍵挿入方向に対して直交方向であるので、机上等に置いたノートパソコン側面３の係着孔５に開脚板７５が挿入され場合、机上面に垂直な方向からのシリンダー８５への合鍵８７の挿入が可能となる。
【００１７】
【発明の実施の形態】
以下、本発明に係る可搬型電子機器用盗難防止装置の好適な実施の形態を図面を参照して詳細に説明する。
なお、以下に説明する本発明の盗難防止の対象である可搬型電子機器としては、携帯型パーソナルコンピュータ、所謂ノートパソコンとし、また、このノートパソコンをケーブルを介して繋げる不動部分としてはテーブル脚等として説明をする。
図１は本発明に係る可搬型電子機器用盗難防止装置の概略構成図、図２は図１に示した係着具の分解斜視図、図３は図１に示した錠ユニットの分解斜視図である。なお、図９に示した部材と同一の部材には同一の符号を付し、重複する説明は省略するものとする。
【００１８】
この実施の形態による可搬型電子機器用盗難防止装置１００は、ケーブル２１と、係着具２３と、錠ユニット２５とを備えて成る。ケーブル２１は、基端に、締結具２７によって固着したループ２９が形成され、このループ２９に先端３１を通すことで、基端側がテーブル脚３３等に巻きつけできる。ケーブル２１の先端３１には係止溝２１ａが形成され、係止溝２１ａは後述の係止ピン６１に係止するようになっている。
【００１９】
係着具２３は、図２に示すように、内部に、開脚ピン３５と、ケーブル挿通部３７とを有する。開脚ピン３５は、線状のバネ材を略Ω状に折り曲げたもので、先端に互いが外方向となる係着爪３５ａを有するとともに、それぞれの脚部には外側に突出する突起３５ｂが形成されている。ケーブル挿通部３７は、円柱体に、直径方向に貫通する挿通穴３７ａを有し、開脚ピン３５との当接端面３７ｃが凹部状に凹み、その外周には周溝３７ｂが形成されている。
【００２０】
開脚ピン３５は、上板４１ａと、下板４１ｂとを平行に折り曲げたＵ状のホルダ４１内に収容される。ホルダ４１の折り曲げ部近傍の左右には、爪突出部４１ｃが開口される。上板４１ａ及び下板４１ｂには、双方に貫通する一対の保持穴４１ｄが穿設されている。開脚ピン３５は、係着爪３５ａを爪突出部４１ｃから突出させた状態で、上板４１ａ及び下板４１ｂの間に挟まれて、ホルダ４１内に収容される。
【００２１】
開脚ピン３５を収容したホルダ４１は、内筒４３を構成する上ケース４３ａ、下ケース４３ｂに収容される。下ケース４３ｂには一対の支柱４３ｃが立設され、支柱４３ｃはホルダ４１の保持穴４１ｄに嵌入される。上ケース４３ａ及び下ケース４３ｂの前端面には、ホルダ４１の先端を突出させるホルダ穴４３ｄが形成されている。また、上ケース４３ａ及び下ケース４３ｂの後端面には、ケーブル挿通部３７の周溝３７ｂに係合する固定片４３ｅが形成されている。更に、上ケース４３ａ及び下ケース４３ｂには、収容した開脚ピン３５の突起３５ｂを突出させるための突起窓４３ｆが開口されている。
【００２２】
内筒４３は、上ケース４３ａ及び下ケース４３ｂを、上下から合わせることで、開脚ピン３５を保持したホルダ４１と、ケーブル挿通部３７とを一体に保持する。このようにして、開脚ピン３５、ケーブル挿通部３７を収容した内筒４３の外周には、筒状の摘み部４５が外挿される。また、内筒４３の後部には、筒状のカバー４７が外挿され、カバー４７は先端側の爪４７ａを、摘み部４５の後端内周に係止して、摘み部４５と一体に固定される。この摘み部４５とカバー４７とは、外筒４９を構成する。
【００２３】
摘み部４５の内周には、対向する一対の押圧突起４５ａ，４５ａが突設されている。押圧突起４５ａは、突起窓４３ｆから内筒４３の内側に突出することで、外筒４９の脱落を規制している。また、この押圧突起４５ａは、突起窓４３ｆから突出する開脚ピン３５の突起３５ｂを押圧可能としている。
【００２４】
また、カバー４７には開口部４７ｂが設けられ、開口部４７ｂからはケーブル挿通部３７の後端が突出可能となっている。
【００２５】
従って、係着具２３は、係着孔５に開脚ピン３５を挿入して摘み部４５を挿入方向にスライドすることで係着孔５へ係着可能である一方、摘み部４５を挿入方向と反対方向にスライドすることで係着孔５から係着解除可能であり、且つ係着時に露出するとともに係着解除時にはカバー４７内に没入する挿通穴３７ａを備えたケーブル挿通部３７を有している。
【００２６】
錠ユニット２５は、図３に示すように、錠本体５１と、この錠本体５１に内設されるシリンダー５３と、シリンダー５３に挿入される合鍵５５と、錠本体５１を覆う本体カバー５７とによって略構成される。錠本体５１は、略直方体状のブロック体からなり、ケーブル２１を挿通する貫通穴５１ａと、この貫通穴５１ａに貫通して上記の係着具２３を経由した先端３１を挿入するケーブル挿入穴５１ｂとを有する。
【００２７】
錠本体５１の一側面には、係止ピン孔５１ｃと、複数、本実施の形態では５つのタンブラーピン孔５１ｄが穿設されている。シリンダー５３は、錠本体５１に形成した図１の内穴５１ｅに挿着される。係止ピン孔５１ｃには、係止バネ５９を圧縮した状態で係止ピン６１が挿入れる。それぞれのタンブラーピン孔５１ｄには、タンブラーピン６３と、シアーピン６５とが、タンブラーバネ６７によって付勢されて挿入される。それぞれのタンブラーピン６３は、シリンダー５３の側面に穿設されたピン凹部５３ａに進入する。
【００２８】
シリンダー５３は、合鍵５５の非挿入時、タンブラーピン６３とシアーピン６５のシアーラインが不一致となり、回転が規制される。一方、合鍵５５が挿入されると、それぞれ異なる長さのタンブラーピン６３が、合鍵５５の溝に合わせて配置され、これによりシアーラインが直線状に一致してシリンダー５３が回転可能となる。
【００２９】
シリンダー５３の先端には、シリンダー側切欠部５３ｂが形成されている。係止ピン６１の先端には、ピン側切欠部６１ａが形成されている。係止ピン６１は、錠本体５１に被せられる本体カバー５７によって離脱しないようになっている。
【００３０】
従って、錠ユニット２５は、係着具２３の挿通穴３７ａに挿通されたケーブル２１の先端３１に係止・係止解除可能であり、ケーブル２１の先端３１に係止することでケーブル挿通部３７からのケーブル２１の抜けを阻止するようになっている。
【００３１】
このように構成された可搬型電子機器用盗難防止装置の作用を説明する。
図４は図１に示した係着具の係着前を（ａ）、係着後を（ｂ）で表す動作説明図である。
盗難防止装置１００を用いてノートパソコン１をテーブル脚３３等に繋ぐには、先ず、ノートパソコン１の係着孔５に、係着具２３を係着する。係着具２３の係着は、図４（ａ）に示すように、係着具２３の先端から突出しているホルダ４１を係着孔５に合わせ、ホルダ４１の先端を係着孔５に挿入する。
【００３２】
次いで、係着具２３の摘み部４５を、挿入方向へスライドする（図４（ｂ）矢線）ことで、摘み部４５の押圧突起４５ａを開脚ピン３５の突起３５ｂから外す。すると、開脚ピン３５は、押圧突起４５ａからの押圧が解除され、バネ力によって脚部の双方が離反方向に開き、係着爪３５ａが係着孔５の裏側周縁に引っ掛かり、図４（ｂ）に示すように係着することとなる。
【００３３】
また、摘み部４５のスライドと同時に、この摘み部４５と一体のカバー４７も挿入方向に移動され、これにより、ケーブル挿通部３７の挿通穴３７ａが、係着具２３の後部から突出状態となる。
【００３４】
このようにしてノートパソコン１に係着された係着具２３に、基端側がテーブル脚３３に巻きつけられ、錠本体５１の貫通穴５１ａに挿通されたケーブル２１を挿通する。係着具２３に挿通されたケーブル２１の先端３１は、錠ユニット２５のケーブル挿入穴５１ｂに挿入する。ケーブル挿入穴５１ｂに挿入されたケーブル２１の先端３１は、係止溝２１ａが係止ピン６１によって係止され、錠ユニット２５からの抜脱が規制される。
【００３５】
従って、ノートパソコン１は、ケーブル２１を介してテーブル脚３３に繋がれ、盗難が防止される。
【００３６】
また、ケーブル２１とテーブル脚３３との接続を解除するには、錠ユニット２５に合鍵５５を挿入し、シリンダー５３を回転する。シリンダー５３が回転されると、シリンダー側切欠部５３ｂが、係止ピン６１のピン側切欠部６１ａを押圧し、係止ピン６１が係止バネ５９の付勢力に抗して図１の下方向に押圧されて移動されることとなる。これにより、係止ピン６１と係止溝２１ａとの係止が解除され、ケーブル２１の先端３１が錠ユニット２５から抜脱可能となる。
【００３７】
錠ユニット２５から抜脱されたケーブル２１の先端３１は、係着具２３から引き抜かれることとなる。係着具２３は、ケーブル２１が挿通穴３７ａより引き抜かれることにより、摘み部４５及びカバー４７の後方へのスライドが可能となり、摘み部４５が図４（ａ）に示すように後方へ移動されることで、開脚ピン３５の突起３５ｂ近傍が押圧突起４５ａにより押圧され、係着爪３５ａがホルダ４１内に納められ、係着孔５との係着が解除される。
【００３８】
このノートパソコン用盗難防止装置１００によれば、ノートパソコン１の係着孔５に係着具２３が係着され、テーブル脚３３等に巻きつけられるケーブル２１の先端３１がこの係着具２３に挿通され、ケーブル２１の先端３１に錠ユニット２５が係止することで、ケーブル２１が係着具２３から抜脱不能となる。これにより、ノートパソコン１がケーブル２１を介してテーブル脚３３に繋がれた状態となって、盗難が防止される。そして、係着具２３は、開脚ピン３５を係着孔５に挿入し、摘み部４５を同方向にスライドするのみで係着が完了し、表出したケーブル挿通部３７の挿通穴３７ａにケーブル２１を挿通することで、係着の解除が規制される。すなわち、このケーブル２１が挿通穴３７ａに対して規制体２５ａとなって、この挿通穴３７ａのカバー４７内への没入が阻止される。この結果、従来装置のように、一対の係着板からなる係着具を鋏状に開いて係着孔に挿入し、この係着板を閉じることで係着を行い、閉じた状態で一致する複数の挿通穴に南京錠の掛金部を通す等の多数の係着動作が不要となり、少ない動作で係着孔５への容易な係着が可能となる。また、係着具２３は、ノートパソコン１に付けたままでも摘み部４５をスライドしなければ脱落することがないので、ケーブル接続をより容易にすることも可能となる。この結果、ノートパソコン１への係着性を良好にすることができる。
【００３９】
そして、係着具２３に挿通されたケーブル２１の先端３１が、錠ユニット２５のケーブル挿入穴５１ｂに挿入されると、錠ユニット２５がケーブル２１の先端３１に係止して、係着具２３からのケーブル２１の抜けが阻止される。その結果、ケーブル２１が係着具２３の挿通穴３７ａから抜けることによる係着解除が規制される。つまり、ケーブル２１の先端３１が錠ユニット２５から抜けないことで、ケーブル２１とノートパソコン１との接続状態が維持される。これにより、合鍵５５の操作のみにより、ケーブル２１の接続解除と、係着具２３の係着解除とが同時に可能となる。また、錠ユニット２５の貫通穴５１ａに一旦挿通されたケーブル２１が係着具２３を経由して再び錠ユニット２５に係止されるので、錠ユニット２５を移動させることで、ノートパソコン１とテーブル脚３３との間のケーブル長が自在に調整可能となる。
【００４０】
次に、本発明に係る可搬型電子機器用盗難防止装置の他の実施の形態を説明する。
図５は本発明に係る可搬型電子機器用盗難防止装置の他の実施の形態における概略構成図、図６は図５の鍵穴に合鍵を挿入した状態のＡ−Ａ断面図、図７は図５に示した錠ユニットの分解斜視図である。なお、図１〜図４に示した部材と同一の部材には同一の符号を付し、重複する説明は省略するものとする。
【００４１】
この実施の形態の盗難防止装置２００は、錠ユニット７１に、ケーブル７３の先端を固定して成る。ケーブル７３の基端側は、上記のケーブル２１の場合と同様に、ループ（図１参照）が形成され、テーブル脚等に巻きつけ可能となっている。錠ユニット７１は、このループに挿通可能な大きさとなる。
【００４２】
錠ユニット７１は、図７に示すように、一対の開脚板７５，７５と、開脚板７５，７５を保持するホルダ７７と、これら開脚板７５，７５及びホルダ７７を内側に収容するスライド部材７９と、スライド部材７９の更に外側に配置されるケース８１と、このケース８１を内部に収容する錠本体８３と、錠本体８３に内設されるシリンダー８５と、このシリンダー８５の合鍵８７と、錠本体８３に係合して固定されるケーブル固定具８９とを基本部材として有している。
【００４３】
開脚板７５は、先端に係着爪７５ａを有するとともに、基端側に支持穴７５ｂを有し、またこの支持穴７５ｂの近傍の側面に押圧面７５ｃを形成している。
【００４４】
ホルダ７７は、上板７７ａと、下板７７ｂとを平行に折り曲げたＵ字状に形成され、先端側を折曲部とし、基端側に保持穴７７ｃが穿設されている。また、保持穴７７ｃの近傍の両側縁部には切欠７７ｄが形成され、切欠７７ｄは上板７７ａ及び下板７７ｂを幅狭に形成している。ホルダ７７の保持穴７７ｃは、錠本体８３に立設した支柱８３ａに貫通されて保持される。一方、一対の開脚板７５，７５は、ホルダ７７の上板７７ａと下板７７ｂとの間に配置され、支持穴７５ｂに、シリンダー８５の軸線と同軸の支持軸（図示せず）が挿入されて、先端が開脚自在となる。このように保持された開脚板７５，７５及びホルダ７７は、錠本体８３のホルダ穴８３ｂから先端部が突出される。
【００４５】
スライド部材７９の対向する起立壁７９ａ，７９ｂには押圧突起７９ｃが内方に向いて突設され、押圧突起７９ｃは開脚板７５の押圧面７５ｃを押圧可能としている。また、スライド部材７９には長穴７９ｄが形成され、長穴７９ｄはシリンダー８５の先端面に突設された偏芯軸８５ａと係合し連結される。
【００４６】
ケース８１は、内側にスライド部材７９を配置するとともに、開脚板７５，７５及びホルダ７７を突出させる切欠８１ａを備えている。また、ケース８１の底板には、上記の偏芯軸８５ａを貫通させる窓部８１ｂを形成している。更に、ケース８１の両側面には凸部８１ｃが外方に突設され、凸部８１ｃは錠本体８３の内壁面に凹設された凹部８３ｃ内で移動可能となっている。
【００４７】
スライド部材７９とケース８１との間には圧縮バネ９３が配設され、圧縮バネ９３はケース８１を突出させる方向に、また、スライド部材７９をその反対方向に付勢している。
【００４８】
シリンダー８５は、錠本体８３のシリンダー穴９４に挿着される。シリンダー８５には複数、本実施の形態では５つのタンブラー孔８５ｃが形成され、それぞれのタンブラー孔８５ｃにはキー溝９５ａを有した板状のタンブラー９５が挿入される。シリンダー８５は、鍵穴８５ｂに合鍵８７が挿入されることで、タンブラー９５が所定位置に移動され、回転が可能となる。なお、このシリンダー８５の構成はこれに限定されることはなく、その他のシリンダー構造であっても良い。このシリンダー８５は、合鍵挿入方向が、係着孔５への開脚板７５の挿入方向に対して直交方向に配設されている。
【００４９】
ケーブル固定具８９は、錠本体８３に形成されたＵ字状の係合溝８３ｄに、係合部８９ａを挿入して取付けられる。ケーブル固定具８９には挿入穴８９ｂが形成され、挿入穴８９ｂに挿入されたケーブル７３は固定穴８９ｃに嵌着される固定ピン８９ｄによって抜脱不能に固定される。
【００５０】
錠本体８３は、上記の開脚板７５，７５、ホルダ７７、スライド部材７９、ケーブル７３を収容する内部が開口され、この開口部が本体蓋９１によって塞がれるようになっている。本体蓋９１には複数の固定穴９１ａと、舌状の止片９１ｂとを有している。本体蓋９１は、固定穴９１ａに挿通された図示しないビス或いはリベットを、錠本体８３のネジ穴８３ｅに締結して錠本体８３に固定され、同時に、止片９１ｂで係合部８９ａを押さえてケーブル固定具８９を固定する。なお、好ましくは、本体蓋９１を固定する手段とされるネジ或いはリベットなどの頭部は覆い隠される。
【００５１】
このように構成された可搬型電子機器用盗難防止装置２００の作用を説明する。
図８は図５に示した錠ユニットの係着孔挿入前を（ａ）、係着孔挿入後を（ｂ）、係着後を（ｃ）で表す動作説明図である。
本実施の形態の盗難防止装置２００を用いてノートパソコン１をテーブル脚３３に繋ぐには、先ず、ケーブル７３の基端側を、前述した実施の形態で述べたと同様にしてテーブル脚３３に巻きつける。
【００５２】
次いで、図８（ａ）に示すように、ホルダ７７の先端部を係着孔５に合わせ、錠ユニット７１を側面３に押付ける。すると、図８（ｂ）に示すように、ケース８１が圧縮バネ９３の付勢力に抗して錠本体８３内に後退する。それと同時に、ホルダ７７の先端が係着孔５内に進入する。
【００５３】
この状態で合鍵８７がシリンダー８５に挿入され、回転されると、シリンダー８５の偏芯軸８５ａが長穴７９ｄを介してスライド部材７９を後退方向（図８の下方向）に移動させる。すると、スライド部材７９の押圧突起７９ｃが、開脚板７５の押圧面７５ｃを押圧し、これにより一対の開脚板７５，７５は支持穴７５ｂを回転中心に開脚され、先端の係着爪７５ａ，７５ａを係着孔５の裏側周縁に引っ掛けて係着する。
【００５４】
これにより、ノートパソコン１は、ケーブル７３を介してテーブル脚３３に繋がれ、盗難が防止される。
【００５５】
一方、錠ユニット７１の係着を解除するには、シリンダー８５に合鍵８７を挿入し回転する。すると、シリンダー８５の偏芯軸８５ａを介してスライド部材７９が前進方向（図８の上方向）に移動し、押圧突起７９ｃの押圧によって一対の開脚板７５，７５が閉じられ、その結果、係着爪７５ａ，７５ａの係着孔５に対する係着が解除されて、係着孔５からの錠ユニット７１の抜脱が可能となる。この際、圧縮状態となった圧縮バネ９３の付勢力により、ケース８１が側面３を押圧し、その反力で錠ユニット７１がノートパソコン１から離反され、明確な脱着が可能となる。
【００５６】
この可搬型電子機器用盗難防止装置２００によれば、テーブル脚３３等に巻きつけられるケーブル７３の先端が錠ユニット７１に固定されており、この錠ユニット７１の開脚板７５，７５がノートパソコン１の係着孔５に挿入され、合鍵８７によりシリンダー８５が回転されることで、スライド部材７９のスライドを介して開脚板７５，７５が係着孔５に係着される。従って、ノートパソコン１がケーブル７３を介してテーブル脚３３に繋がれた状態となって、盗難が防止される。これにより、従来装置のように、一対の係着板からなる係着具を鋏状に開いて係着孔に挿入し、この係着板を閉じることで係着を行い、閉じた状態で一致する複数の挿通穴に南京錠の掛金部を通す等の多数の係着動作が不要となり、少ない動作で係着孔５への容易な係着が可能となる。そして、開脚板７５，７５の係着孔５への挿入方向が、シリンダー８５の合鍵挿入方向に対して直交方向であるので、机上等に置いたノートパソコン側面３の係着孔５に開脚板７５，７５が挿入された場合、机上面に垂直な方向からのシリンダー８５への合鍵８７の挿入が可能となる。これにより、操作性が向上することとなる。
【００５７】
なお、上述した各実施の形態では、可搬型電子機器をノートパソコンとして説明をしたが、この可搬型電子機器としては、持ち運びが比較的容易な携帯型情報端末機器や電子機器、例えばポータブル型測定機器や、卓上設置形の電子機器などとしても上記同様の効果を得られるものであり、機器本体の筐体など外側面に、奥拡がりな孔よりなる係着孔を備えた機器であれば、テーブル脚など、不動な部分にケーブルを介して容易に繋げることを可能とし、盗難を防止できるものである。
【００５８】
【発明の効果】
以上説明したように、本発明に係る請求項１記載の可搬型電子機器用盗難防止装置によれば、例えばノートパソコンなどの可搬型電子機器の係着孔に係着具が係着され、テーブル脚等の不動部分にループが巻きつけられるケーブルを介して錠ユニットが挿通穴に係止することで、ノートパソコンがケーブルを介してテーブル脚に繋がれた状態となって、盗難が防止される。そして、係着具は、開脚ピンを係着孔に挿入し、摘み部を同方向にスライドするのみで係着が完了し、表出した挿通穴に規制体を挿通することで、係着の解除が規制される。この結果、従来装置のように、一対の係着板からなる係着具を鋏状に開いて係着孔に挿入し、この係着板を閉じることで係着を行い、閉じた状態で一致させる複数の挿通穴に南京錠の掛金部を通す等の煩雑な多数の係着動作が不要となり、少ない動作で係着孔への容易な係着が可能となって、ノートパソコンなど可搬型電子機器への係着性を良好にすることができる。
【００５９】
本発明に係る請求項２記載の可搬型電子機器用盗難防止装置によれば、例えばノートパソコンなどの可搬型電子機器の係着孔に係着具が係着され、テーブル脚等の不動部分に巻きつけられるケーブルの先端がこの係着具に挿通され、ケーブルの先端に錠ユニットが係止することで、ケーブルが係着具から抜脱不能となり、ノートパソコンがケーブルを介してテーブル脚に繋がれた状態となって、盗難が防止される。そして、係着具は、開脚ピンを係着孔に挿入し、摘み部を同方向にスライドするのみで係着が完了し、表出した挿通穴にケーブルを挿通することで、係着の解除が規制される。この結果、従来装置のように、一対の係着板からなる係着具を鋏状に開いて係着孔に挿入し、この係着板を閉じることで係着を行い、閉じた状態で一致する複数の挿通穴に南京錠の掛金部を通す等の多数の係着動作が不要となり、少ない動作で係着孔への容易な係着が可能となって、ノートパソコンなどの可搬型電子機器への係着性を良好にすることができる。
【００６０】
本発明に係る請求項３記載の可搬型電子機器用盗難防止装置によれば、係着具に挿通されたケーブルの先端を、錠ユニットのケーブル挿入穴に挿入すれば、この錠ユニットがケーブルの先端に係止して、係着具からのケーブルの抜けが阻止でき、その結果、ケーブルが係着具のケーブル挿通部から抜けることによる係着解除が規制される。つまり、ケーブルの先端が錠ユニットから抜けないことで、ケーブルと可搬型電子機器との接続状態を維持させることができる。これにより、合鍵により、ケーブルと可搬型電子機器との接続の解除と、係着具の規制解除とを同時に行うことができる。また、錠ユニットの貫通穴に一旦挿通されたケーブルが係着具を経由して再び錠ユニットに係止するので、錠ユニットを移動させることで、可搬型電子機器とテーブル脚等の不動部分との間のケーブル長が自在に調整可能となり、ケーブルの弛みも吸収可能となる。
【００６１】
本発明に係る請求項４記載の可搬型電子機器用盗難防止装置によれば、テーブル脚等の不動部分に巻きつけられるケーブルの先端が錠ユニットに固定されているので、この錠ユニットの開脚板が可搬型電子機器の係着孔に挿入され、合鍵によりシリンダーが回転されることで、スライド部材のスライドを介して開脚板が係着孔に係着し、可搬型電子機器がケーブルを介してテーブル脚等に繋がれた状態となって、盗難が防止される。そして、開脚板の係着孔への挿入方向が、シリンダーの合鍵挿入方向に対して直交方向であるので、机上等に置いた可搬型電子機器の側面に穿設された係着孔に開脚板を挿入した場合、机上面に垂直な方向からシリンダーに合鍵を挿入して開脚板を係着でき、ノートパソコン等の可搬型電子機器への係着性を良好にすることができる。
【図面の簡単な説明】
【図１】本発明に係る可搬型電子機器用盗難防止装置の概略構成図である。
【図２】図１に示した係着具の分解斜視図である。
【図３】図１に示した錠ユニットの分解斜視図である。
【図４】図１に示した係着具の係着前を（ａ）、係着後を（ｂ）で表す動作説明図である。
【図５】本発明に係る可搬型電子機器用盗難防止装置の他の実施の形態における概略構成図である。
【図６】図５の鍵穴に合鍵を挿入した状態のＡ−Ａ断面図である。
【図７】図５に示した錠ユニットの分解斜視図である。
【図８】図５に示した錠ユニットの係着孔挿入前を（ａ）、係着孔挿入後を（ｂ）、係着後を（ｃ）で表す動作説明図である。
【図９】従来のノートパソコン用盗難防止装置の使用手順を（ａ）〜（ｄ）で表した説明図である。
【符号の説明】
１…可搬型電子機器（ノートパソコン）
５…係着孔
２１，７３…ケーブル
２３…係着具
２５，７１…錠ユニット
２９…ループ
３１…ケーブルの先端
３５…開脚ピン
３５ａ，７５ａ…係着爪
３７ａ…挿通穴
４５…摘み部
４７…カバー
５１ａ…貫通穴
５１ｂ…ケーブル挿入穴
５３，８５…シリンダー
５５，８７…合鍵
６１…係止ピン
７５…開脚板
７９…スライド部材
８３…錠本体
１００，２００…可搬型電子機器用盗難防止装置
【図１】
2004318426.tif 000003
【図２】
2004318426.tif 000004
【図３】
2004318426.tif 000005
【図４】
2004318426.tif 000006
【図５】
2004318426.tif 000007
【図６】
2004318426.tif 000008
【図７】
2004318426.tif 000009
【図８】
2004318426.tif 000010
【図９】
2004318426.tif 000011